(57)【要約】  【課題】  フォーカスエラー信号のバランス調整を改善し、フォーカスサーボの精度の向上を図れる光ディスク再生装置を提供する。  【解決手段】  フォーカスエラー信号のバランス調整の際、先ず、フォーカスエラー信号のバランスを所定範囲で変化させる。そして、前記フォーカスエラー信号のバランスを変化させているときのＲＦ信号のレベルを測定し、前記測定しているときにＲＦ信号のレベルが最大値になったときにフォーカスエラー信号のバランスを所定範囲で変化させる。次に、前記変化させているときのジッタを測定し、前記ＲＦ信号のレベルが最大値であるときのフォーカスエラー信号のバランス調整値と前記ジッタが最小値であるときのフォーカスエラー信号のバランス調整値との中間のバランス調整値を算出する。前記算出されたバランス調整値により得られたフォーカスエラー信号によりフォーカスサーボが行われる。【選択図】      図３
2006134447.tif 000002
【特許請求の範囲】
【請求項１】
光ディスクに記録された情報を光学的に読み出す光ピックアップを備え、光ディスクに
記録された情報を再生する光ディスク再生装置において、前記光ピックアップからのＲＦ
信号に含まれるフォーカスエラー信号のバランスを所定範囲変化させる第１のフォーカス
エラーバランス変化手段と、前記フォーカスエラー信号のバランスを変化させているとき
のＲＦ信号のレベルを測定するＲＦレベル測定手段と、前記ＲＦ信号のレベルを測定して
いるときにＲＦ信号のレベルが最大値になったか否かを判定するＲＦレベル判定手段と、
前記ＲＦ信号のレベルが最大値になったときにフォーカスエラー信号のバランスを所定範
囲変化させる第２のフォーカスエラーバランス変化手段と、前記フォーカスエラー信号の
バランスを変化させているときのジッタを測定するジッタ測定手段と、前記ＲＦ信号のレ
ベルが最大値であるときのフォーカスエラー信号のバランス調整値と前記ジッタが最小値
であるときのフォーカスエラー信号のバランス調整値との中間のバランス調整値を算出す
るバランス調整値算出手段とを有し、前記算出されたバランス調整値により得られたフォ
ーカスエラー信号によりフォーカスサーボを行うシステムコントローラを備えたことを特
徴とする光ディスク再生装置。
【請求項２】
光ディスクに記録された情報を光学的に読み出す光ピックアップを備え、光ディスクに
記録された情報を再生する光ディスク再生装置において、前記光ピックアップからのＲＦ
信号に含まれるフォーカスエラー信号のバランスを変化させながらＲＦ信号のレベルとジ
ッタを測定し、前記ＲＦ信号のレベルが最大値であるときのフォーカスエラー信号のバラ
ンス調整値と前記ジッタが最小値であるときのフォーカスエラー信号のバランス調整値と
の中間のバランス調整値を算出し、前記算出されたバランス調整値により得られたフォー
カスエラー信号によりフォーカスサーボを行うシステムコントローラを備えたことを特徴
とする光ディスク再生装置。
【請求項３】
前記システムコントローラは、光ピックアップからのＲＦ信号に含まれるフォーカスエ
ラー信号のバランスを所定範囲変化させる第１のフォーカスエラーバランス変化手段と、
前記フォーカスエラー信号のバランスを変化させているときのＲＦ信号のレベルを測定す
るＲＦレベル測定手段と、前記ＲＦ信号のレベルを測定しているときにＲＦ信号のレベル
が最大値になったか否かを判定するＲＦレベル判定手段と、前記ＲＦ信号のレベルが最大
値になったときにフォーカスエラー信号のバランスを所定範囲変化させる第２のフォーカ
スエラーバランス変化手段と、前記フォーカスエラー信号のバランスを変化させていると
きのジッタを測定するジッタ測定手段と、前記ＲＦ信号のレベルが最大値であるときのフ
ォーカスエラー信号のバランス調整値と前記ジッタが最小値であるときのフォーカスエラ
ー信号のバランス調整値との中間のバランス調整値を算出するバランス調整値算出手段と
を有することを特徴とする請求項２に記載の光ディスク再生装置。
【発明の詳細な説明】
【技術分野】
【０００１】
本発明は、光ディスクに記録された情報を再生する光ディスク再生装置に関し、特に、
光ピックアップに内蔵された対物レンズのフォーカスサーボに用いられるフォーカスエラ
ー信号のバランス調整に関する。
【背景技術】
【０００２】
従来から光ディスク再生装置は、レーザービームを光ディスク上のトラックに収束させ
るための対物レンズを有し、光ディスクに記録された情報を光学的に読み出す光ピックア
ップと、この光ピックアップからのＲＦ信号に含まれるトラッキングエラー信号に基づい
て前記対物レンズをトラッキング制御するトラッキングサーボ系と、前記光ピックアップ
からのＲＦ信号に含まれるフォーカスエラー信号に基づいて前記対物レンズをフォーカス
制御するフォーカスサーボ系とを備えている。
【０００３】
トラッキングサーボ系は、光ピックアップからのＲＦ信号に含まれるトラッキングエラ
ー信号を検出するトラッキングエラー検出回路と、前記検出されたトラッキングエラー信
号に基づいて対物レンズをトラッキング位置制御するためのトラッキング用アクチュエー
タを駆動させる駆動信号を出力するトラッキングドライブ回路とを備えている。フォーカ
スサーボ系は、光ピックアップからのＲＦ信号に含まれるフォーカスエラー信号を検出す
るフォーカスエラー検出回路と、前記検出されたフォーカスエラー信号に基づいて対物レ
ンズをフォーカス位置制御するためのフォーカス用アクチュエータを駆動させる駆動信号
を出力するフォーカスドライブ回路とを備えている。
【０００４】
ところで、フォーカスエラー信号は、ディスク記録面との距離の変化に応じてＳ字状に
変化し、このＳ字カーブが基準電圧をクロスする位置が合焦点となる。光ピックアップは
、４個のフォトディテクターａ，ｂ，ｃ，ｄを有し、これらのフォトディテクターａ，ｂ
，ｃ，ｄのうち、１本の対角線上に配置された２個のフォトディテクターａ，ｃの出力を
加算して第１加算信号を作成すると共に、他の１本の対角線上に配置された２個のフォト
ディテクターｂ，ｄの出力を加算して第２加算信号を作成する。光ピックアップの焦点が
ずれると、第１加算信号と第２加算信号とに差が生じ、この差が光ピックアップの焦点の
ずれに応じたフォーカスエラー信号となる。
【０００５】
光ピックアップの焦点がずれた場合、フォーカスエラー信号のＳ字カーブは、基準電圧
を中心とする上下のバランスが崩れて非対称となり、このようなＳ字カーブに基づいてフ
ォーカスサーボを実行すると、真の合焦点が得られない問題がある。そこで、従来から光
ディスク再生装置ではフォーカスエラー信号のバランス調整が行われている。
【特許文献１】特開２００２−２５０７５号公報
【特許文献２】特開２００１−１２６２６１号公報
【発明の開示】
【発明が解決しようとする課題】
【０００６】
したがって、従来の光ディスク再生装置においては、フォーカスエラー信号のバランス
調整を行う際に、光ピックアップからのＲＦ信号の最大値を検出して、そのＲＦ信号の最
大値になる点に対応するフォーカスエラー信号のバランス調整値を、当該装置のフォーカ
スエラー信号のバランス調整値としていた。例えば、図２で説明すると、ラインＬ１で示
すＲＦ信号が最大値になる点Ｐに対応する値「３５」をフォーカスエラー信号のバランス
調整値（ＦＢＡＬ）としていた。なお、そのバランス調整値「３５」は１６進法で示され
るもので、百分率では６％になる。
【０００７】
ところで、ディスク板厚が６００μｍの規格の光ディスクであれば、ＲＦ信号が最大に
なる点に対応するフォーカスエラー信号のバランス調整値と、ジッタが最小（最良）にな
る点に対応するフォーカスエラー信号のバランス調整値とが略同じになるが、ディスク板
厚が５７０μｍ〜６３０μｍ（６００μｍを除く）の規格の光ディスクでは、ＲＦ信号が
最大になる点に対応するフォーカスエラー信号のバランス調整値と、ジッタが最小になる
点に対応するフォーカスエラー信号のバランス調整値とが異なることがあり、この場合は
フォーカスエラー信号のバランス調整が悪くなり、これに伴ってフォーカスサーボの精度
が低下するという課題が生じる。
【０００８】
なお、特許文献１の従来技術は、ジッタが最小となるところでフォーカスエラー信号の
バランス調整を行っているが、ジッタの曲線はＲＦ信号の曲線よりも緩やかであるので（
図２参照）、このような特性のジッタだけを用いても、フォーカスエラー信号のバランス
調整の精度が必ずしも上がるとは言えない。
【０００９】
特許文献２の従来技術は、ＣＬＶディスクをＣＡＶ再生する場合や反りを生じているデ
ィスクを再生する場合に再生を中断することなく、ジッタを最適化するものであり、フォ
ーカスエラー信号のバランス調整の精度を向上させるための対策は開示されていない。
【００１０】
本発明は、上記のような課題を解決するためになされたもので、フォーカスエラー信号
のバランス調整を改善し、フォーカスサーボの精度の向上を図れる光ディスク再生装置を
提供することを目的とする。
【課題を解決するための手段】
【００１１】
上記目的を達成するために、請求項１の発明は、光ディスクに記録された情報を光学的
に読み出す光ピックアップを備え、光ディスクに記録された情報を再生する光ディスク再
生装置において、前記光ピックアップからのＲＦ信号に含まれるフォーカスエラー信号の
バランスを所定範囲変化させる第１のフォーカスエラーバランス変化手段と、前記フォー
カスエラー信号のバランスを変化させているときのＲＦ信号のレベルを測定するＲＦレベ
ル測定手段と、前記ＲＦ信号のレベルを測定しているときにＲＦ信号のレベルが最大値に
なったか否かを判定するＲＦレベル判定手段と、前記ＲＦ信号のレベルが最大値になった
ときにフォーカスエラー信号のバランスを所定範囲変化させる第２のフォーカスエラーバ
ランス変化手段と、前記フォーカスエラー信号のバランスを変化させているときのジッタ
を測定するジッタ測定手段と、前記ＲＦ信号のレベルが最大値であるときのフォーカスエ
ラー信号のバランス調整値と前記ジッタが最小値であるときのフォーカスエラー信号のバ
ランス調整値との中間のバランス調整値を算出するバランス調整値算出手段とを有し、前
記算出されたバランス調整値により得られたフォーカスエラー信号によりフォーカスサー
ボを行うシステムコントローラを備えたことを特徴とする光ディスク再生装置を提供する
。
【００１２】
この構成において、フォーカスエラー信号のバランス調整の際、先ず、第１のフォーカ
スエラーバランス変化手段によりフォーカスエラー信号のバランスを所定範囲で変化させ
る。そして、前記フォーカスエラー信号のバランスを変化させているときのＲＦ信号のレ
ベルをＲＦレベル測定手段により測定し、前記測定しているときにＲＦ信号のレベルが最
大値になったか否かがＲＦレベル判定手段により判定され、前記ＲＦ信号のレベルが最大
値になったときにフォーカスエラー信号のバランスを第２のフォーカスエラーバランス変
化手段により所定範囲で変化させる。
【００１３】
次に、前記フォーカスエラー信号のバランスを変化させているときのジッタをジッタ測
定手段により測定し、前記ＲＦ信号のレベルが最大値であるときのフォーカスエラー信号
のバランス調整値と前記ジッタが最小値であるときのフォーカスエラー信号のバランス調
整値との中間のバランス調整値をバランス調整値算出手段により算出する。前記算出され
たバランス調整値により得られたフォーカスエラー信号によりフォーカスサーボを行う。
【００１４】
この構成によれば、ＲＦ信号のレベルの最大値になったときのフォーカスエラー信号の
バランス調整値とジッタが最小値になったときのフォーカスエラー信号のバランス調整値
との中間のバランス調整値により、フォーカスバランス調整を行うので、フォーカスエラ
ー信号のバランス調整が改善され、フォーカスサーボの精度が向上し、高精度の再生信号
を得ることができる。
【００１５】
請求項２の発明は、光ディスクに記録された情報を光学的に読み出す光ピックアップを
備え、光ディスクに記録された情報を再生する光ディスク再生装置において、前記光ピッ
クアップからのＲＦ信号に含まれるフォーカスエラー信号のバランスを変化させながらＲ
Ｆ信号のレベルとジッタを測定し、前記ＲＦ信号のレベルが最大値であるときのフォーカ
スエラー信号のバランス調整値と前記ジッタが最小値であるときのフォーカスエラー信号
のバランス調整値との中間のバランス調整値を算出し、前記算出されたバランス調整値に
より得られたフォーカスエラー信号によりフォーカスサーボを行うシステムコントローラ
を備えたことを特徴とする光ディスク再生装置を提供する。
【００１６】
この構成において、フォーカスエラー信号のバランスを変化させながらＲＦ信号のレベ
ルとジッタが測定され、前記ＲＦ信号のレベルが最大値であるときのフォーカスエラー信
号のバランス調整値と前記ジッタが最小値であるときのフォーカスエラー信号のバランス
調整値との中間のバランス調整値が算出され、前記算出されたバランス調整値により得ら
れたフォーカスエラー信号によりフォーカスサーボが行われる。
【００１７】
この構成によれば、ＲＦ信号のレベルの最大値になったときのフォーカスエラー信号の
バランス調整値とジッタが最小値になったときのフォーカスエラー信号のバランス調整値
との中間のバランス調整値により、フォーカスバランス調整を行うので、フォーカスエラ
ー信号のバランス調整が改善され、フォーカスサーボの精度が向上し、高精度の再生信号
を得ることができる。
【００１８】
請求項３の発明では、請求項２に発明において、システムコントローラは、光ピックア
ップからのＲＦ信号に含まれるフォーカスエラー信号のバランスを所定範囲変化させる第
１のフォーカスエラーバランス変化手段と、前記フォーカスエラー信号のバランスを変化
させているときのＲＦ信号のレベルを測定するＲＦレベル測定手段と、前記測定している
ときにＲＦ信号のレベルが最大値になったか否かを判定するＲＦレベル判定手段と、前記
ＲＦ信号のレベルが最大値になったときにフォーカスエラー信号のバランスを所定範囲変
化させる第２のフォーカスエラーバランス変化手段と、前記変化させているときのジッタ
を測定するジッタ測定手段と、前記ＲＦ信号のレベルが最大値であるときのフォーカスエ
ラー信号のバランス調整値と前記ジッタが最小値であるときのフォーカスエラー信号のバ
ランス調整値との中間のバランス調整値を算出するバランス調整値算出手段とを有するの
で、ＲＦ信号のレベルの最大値になったときのフォーカスエラー信号のバランス調整値と
ジッタが最小値になったときのフォーカスエラー信号のバランス調整値との中間のバラン
ス調整値によりフォーカスバランス調整を行うことが可能になる。
【発明の効果】
【００１９】
以上のように本発明によれば、光ピックアップからのＲＦ信号に含まれるフォーカスエ
ラー信号のバランスを所定範囲変化させる第１のフォーカスエラーバランス変化手段と、
前記フォーカスエラー信号のバランスを変化させているときのＲＦ信号のレベルを測定す
るＲＦレベル測定手段と、前記ＲＦ信号のレベルを測定しているときにＲＦ信号のレベル
が最大値になったか否かを判定するＲＦレベル判定手段と、前記ＲＦ信号のレベルが最大
値になったときにフォーカスエラー信号のバランスを所定範囲変化させる第２のフォーカ
スエラーバランス変化手段と、前記フォーカスエラー信号のバランスを変化させていると
きのジッタを測定するジッタ測定手段と、前記ＲＦ信号のレベルが最大値であるときのフ
ォーカスエラー信号のバランス調整値と前記ジッタが最小値であるときのフォーカスエラ
ー信号のバランス調整値との中間のバランス調整値を算出するバランス調整値算出手段と
を有し、前記算出されたバランス調整値により得られたフォーカスエラー信号によりフォ
ーカスサーボを行うシステムコントローラを備えたので、ＲＦ信号のレベルの最大値にな
ったときのフォーカスエラー信号のバランス調整値とジッタが最小値になったときのフォ
ーカスエラー信号のバランス調整値との中間のバランス調整値により、フォーカスバラン
ス調整を行うことができ、これにより、フォーカスエラー信号のバランス調整が改善され
、フォーカスサーボの精度が向上し、高精度の再生信号を得ることができる。
【００２０】
また、本発明によれば、光ピックアップからのＲＦ信号に含まれるフォーカスエラー信
号のバランスを変化させながらＲＦ信号のレベルとジッタを測定し、前記ＲＦ信号のレベ
ルが最大値であるときのフォーカスエラー信号のバランス調整値と前記ジッタが最小値で
あるときのフォーカスエラー信号のバランス調整値との中間のバランス調整値を算出し、
前記算出されたバランス調整値により得られたフォーカスエラー信号によりフォーカスサ
ーボを行うシステムコントローラを備えたので、ＲＦ信号のレベルの最大値になったとき
のフォーカスエラー信号のバランス調整値とジッタが最小値になったときのフォーカスエ
ラー信号のバランス調整値との中間のバランス調整値により、フォーカスバランス調整を
行うことができ、これにより、フォーカスエラー信号のバランス調整が改善され、フォー
カスサーボの精度が向上し、高精度の再生信号を得ることができる。
【発明を実施するための最良の形態】
【００２１】
以下、添付図面を参照しつつ、本発明の実施の形態について説明する。図１は本発明の
一実施形態に係る光ディスク再生装置の構成を示すブロック図である。
【００２２】
図１において、この光ディスク再生装置は、ＤＶＤ等の光ディスク１に記録された情報
を再生するためにレーザ光を出射すると共に光ディスク１からの反射光を受光する光ピッ
クアップ３と、光ディスク１を回転させるスピンドルモータ２と、このスピンドルモータ
２を駆動するスピンドルドライブ回路１９と、光ピックアップ３のトラッキングサーボを
行うトラッキング用アクチュエータ（図示せず）を駆動するトラッキングドライブ回路１
７と、光ピックアップ３のフォーカスサーボを行うフォーカス用アクチュエータ（図示せ
ず）を駆動するフォーカスドライブ回路１６と、光ピックアップ３を光ディスク１の半径
方向に移動させるスレッド４と、このスレッド４を駆動するスレッドドライブ回路１８と
を備えている。
【００２３】
また、この光ディスク再生装置は、光ディスク１の再生時に光ディスク１からのＲＦ信
号を増幅するＲＦアンプ５と、ＶＣＯ（voltage controlled oscillator）を含むＰＬＬ
（phase locked loop）８を備えＲＦアンプ５からのＲＦ信号を入力してデータと同期信
号を分離するデータ／同期信号分離回路６と、このデータ／同期分離回路６で分離された
データを入力してデコード化することによりエラーチェックを行いデータに誤りがある場
合はエラー訂正を行って正しいデータを出力するデータデコードエラー訂正回路９と、こ
のデータデコードエラー訂正回路９から正しいデータを入力しデコード化してビデオ信号
とオーディオ信号をビデオ出力端子２３とオーディオ出力端子２４をそれぞれ介して例え
ばＴＶモニタ２２に供給するＡＶデコード回路１０とを備えている。
【００２４】
また、このディスク再生装置は、ＲＦアンプ５からのＲＦ信号に含まれ光ディスク１上
のトラックの無いミラー面を示すミラー信号を検出してミラー面をカウントするミラー検
出回路７と、光ピックアップ３からのＲＦ信号に含まれるトラッキングエラー信号をＲＦ
アンプ５を介して検出するトラッキングエラー検出回路１１と、光ピックアップ３からの
ＲＦ信号に含まれるフォーカスエラー信号をＲＦアンプ５を介して検出するフォーカスエ
ラー検出回路１２と、トラッキングエラー検出回路１１からのトラッキングエラー信号に
基づいてトラッククロスを検出してトラックパルスを出力するトラッククロス検出回路１
３と、システムコントローラ１４の処理に必要なデータを格納するメモリ２０とを備えて
いる。
【００２５】
また、この光ディスク再生装置には、この装置本体の前面などに設けられ装置電源のオ
ン／オフ操作や再生に関する各種操作などを行うための複数のキーを有した操作部２５が
備えられている。この操作部２５は、リモコン（リモートコントローラ）２６からの操作
指令を示す光信号を受信する受光手段（図示せず）を備え、この受光手段により光信号を
電気信号に変換してシステムコントローラ１４に指令信号を入力する。リモコン２６は、
装置電源のオン／オフ操作や再生に関する各種操作などを行うための複数のキー（図示せ
ず）を有している。
【００２６】
また、この光ディスク再生装置は、装置全体の処理を行うＣＰＵ１５に従って上記各構
成要素を制御するシステムコントローラ１４を備えている。このシステムコントローラ１
４は、光ピックアップ３からのＲＦ信号に含まれるフォーカスエラー信号に基づいて光ピ
ックアップ３のフォーカスサーボのための制御、光ピックアップ３からのＲＦ信号に含ま
れるトラッキングエラー信号に基づいて光ピックアップ３のトラッキングサーボのための
制御、操作部２５やリモコン２６からの再生指示信号に従って光ディスク１の再生位置を
決めるためスレッドドライブ回路１８を介してスレッド４を駆動して光ピックアップ３を
光ディスク１の半径方向に移動させる制御、操作部２５やリモコン２６からの操作信号に
よりスピンドルドライブ回路１９を介してスピンドルモータ２を回転させる制御などを行
う。
【００２７】
更に、システムコントローラ１４は、光ピックアップ３からのＲＦ信号に含まれるフォ
ーカスエラー信号のバランスを所定範囲変化させる第１のフォーカスエラーバランス変化
手段２７と、前記フォーカスエラー信号のバランスを変化させているときのＲＦ信号のレ
ベルを測定するＲＦレベル測定手段２８と、前記ＲＦ信号のレベルを測定しているときに
ＲＦ信号のレベルが最大値になったか否かを判定するＲＦレベル判定手段２９と、前記Ｒ
Ｆ信号のレベルが最大値になったときにフォーカスエラー信号のバランスを所定範囲変化
させる第２のフォーカスエラーバランス変化手段３０と、前記フォーカスエラー信号のバ
ランスを変化させているときのジッタを測定するジッタ測定手段３１と、前記ＲＦ信号の
レベルが最大値であるときのフォーカスエラー信号のバランス調整値と前記ジッタが最小
値であるときのフォーカスエラー信号のバランス調整値との中間のバランス調整値を算出
するバランス調整値算出手段３２とを有する。
【００２８】
図２は本実施形態においてフォーカスエラー信号のバランスを変化させたときのＲＦ信
号のレベル変化と、同じくフォーカスエラー信号のバランスを変化させたときのジッタの
変化を示すグラフである。図２において、Ｌ１はＲＦ信号のレベル変化を示すラインであ
る。Ｌ２は立上りのジッタのレベル変化を示すライン、Ｌ３は立下りのジッタのレベル変
化を示すライン、Ｌ４は立上り立下りの両エッジのジッタのレベル変化を示すラインであ
る。
【００２９】
図３は本実施形態においてフォーカスエラー信号のバランス調整を行う際の処理を説明
するためのフローチャートである。このフローチャートを参照してフォーカスエラー信号
のバランス調整を行う際の処理を説明する。
【００３０】
フォーカスエラー信号のバランス調整の際、先ず、第１のフォーカスエラーバランス変
化手段２７によりフォーカスエラー信号のバランスを所定範囲（例えば±７％）で変化さ
せる（ステップＳ１）。前述したように、光ピックアップ３の焦点がずれると、フォトデ
ィテクターａ，ｃの出力を加算した第１加算信号とフォトディテクターｂ，ｄの出力を加
算した第２加算信号とに差が生じ、この差が光ピックアップ３の焦点のずれに応じたフォ
ーカスエラー信号となるが、このフォーカスエラー信号のバランス調整がＲＦアンプ５内
の図示しないゲイン調整器により行われ、ゲインを変化させることにより、フォーカスエ
ラー信号のバランスを所定範囲（例えば±７％）で変化させることが可能になる。
【００３１】
そして、前記フォーカスエラー信号のバランスを変化させているときのＲＦ信号のレベ
ルをＲＦレベル測定手段２８により測定する（ステップＳ２）。これは、ＲＦ信号のレベ
ルの測定結果をメモリ２０に格納しながら測定するが、測定しているときに、ＲＦ信号の
レベルが最大値になったか否かをＲＦレベル判定手段２９により判定し（ステップＳ３）
、前記ＲＦ信号のレベルが最大値（例えば図２においては点Ｐ）になったときにフォーカ
スエラー信号のバランスを第２のフォーカスエラーバランス変化手段３０により所定範囲
（例えば、図２において、ＦＢＡＬが１５〜５５〔ＨＥＸ〕）で変化させる（ステップＳ
４）。
【００３２】
次に、前記所定範囲（例えば、ＦＢＡＬが１５〜５５〔ＨＥＸ〕）変化させているとき
のジッタをジッタ測定手段３１により測定する（ステップＳ５）。これは、ジッタの測定
結果をメモリ２０に格納しながらジッタを測定するが、測定しているときに、ジッタが最
小値のものがあれば（ステップＳ６）、前記ＲＦ信号のレベルが最大値であるときのフォ
ーカスエラー信号のバランス調整値（例えば、図２において、ＦＢＡＬが３５〔ＨＥＸ〕
）と前記ジッタが最小値（例えば、図２において、ＦＢＡＬが４５〔ＨＥＸ〕）であると
きのフォーカスエラー信号のバランス調整値とを一旦メモリ２０に格納し、格納された前
記ＲＦ信号のレベルが最大値であるときのフォーカスエラー信号のバランス調整値（例え
ばＦＢＡＬが３５〔ＨＥＸ〕）と前記ジッタが最小値（例えばＦＢＡＬが４５〔ＨＥＸ〕
）であるときのフォーカスエラー信号のバランス調整値との中間のバランス調整値（例え
ば、図２において、ＦＢＡＬが３ｄ〔ＨＥＸ〕）をバランス調整値算出手段３２により算
出する（ステップＳ７）。
【００３３】
フォーカスエラー信号のバランス調整値を百分率に計算し直すと、３５〔ＨＥＸ〕は６
％、４５〔ＨＥＸ〕は１０％、３ｄ〔ＨＥＸ〕は８％になる。したがって、ＲＦ信号のレ
ベルが最大値になったときのフォーカスエラー信号のバランス調整値（６％）とジッタが
最小値になったときのフォーカスエラー信号のバランス調整値（１０％）との中間のバラ
ンス調整値（８％）により、フォーカスバランス調整を行うので、フォーカスエラー信号
のバランス調整が改善され、フォーカスサーボの精度が向上し、高精度の再生信号を得る
ことができる。
【図面の簡単な説明】
【００３４】
【図１】本発明の一実施形態に係る光ディスク再生装置の構成を示すブロック図である。
【図２】前記実施形態においてフォーカスエラー信号のバランスを変化させたときのＲＦ信号のレベル変化と同じくフォーカスエラー信号のバランスを変化させたときのジッタの変化を示すグラフである。
【図３】前記実施形態においてフォーカスエラー信号のバランス調整を行う際の処理を説明するためのフローチャートである。
【符号の説明】
【００３５】
１    光ディスク
３    光ピックアップ
１４    システムコントローラ
２７    第１のフォーカスエラーバランス変化手段
２８    ＲＦレベル測定手段
２９    ＲＦレベル判定手段
３０    第２のフォーカスエラーバランス変化手段
３１    ジッタ測定手段
３２    バランス調整値算出手段
【図１】
2006134447.tif 000003
【図２】
2006134447.tif 000004
【図３】
2006134447.tif 000005